(57)【要約】【課題】温水ミストの噴霧方向を上下方向に変更させる場合の可動範囲を大きくし、暖房効果の高い浴室暖房装置を提供する。【解決手段】浴室に温水を噴霧することにより浴室の暖房を行う浴室暖房装置１において、温水を噴霧する噴霧ノズルを備えた本体ユニット２、本体ユニット２を浴室壁面に固定する固定具３、及び、本体ユニット２の上端部を固定具３に回動自在に軸支する軸着部４を備える。本体ユニット２を軸着部４を中心に上向きに回動させれば、噴霧ノズルから噴霧される温水ミストの噴射方向の仰角が大きくなる。噴射方向の仰角が大きければ、温水ミストが空中に漂う時間が長くなる。これにより、温水ミストによる暖房効果が上がる。【選択図】        図１
2005291631.tif 000002
【特許請求の範囲】
【請求項１】
浴室に温水を噴霧することにより浴室の暖房を行う浴室暖房装置であって、以下の構成を含む浴室暖房装置：
温水を噴霧する噴霧ノズルを備えた本体ユニット；
前記本体ユニットを浴室壁面に固定する固定具；
及び、前記本体ユニットの上端部を前記固定具に回動自在に軸支する軸着部。
【請求項２】
前記本体ユニットが前記固定具に対して所定の角度に保持することが可能な保持手段；
を備えたことを特徴とする請求項１記載の浴室暖房装置。
【請求項３】
前記保持手段は、前記本体ユニットを前記固定具に保持する角度を、２以上の異なる角度のうちから選択することが可能であることを特徴とする請求項１又は２記載の浴室暖房装置。
【請求項４】
前記保持手段は、前記本体ユニットの外部面を支えて保持する突支部材を備えていることを特徴とする請求項２又は３記載の浴室暖房装置。
【請求項５】
前記保持手段は、
前記固定具の前記本体ユニットに対面する位置において、前記固定具に回動自在に軸支された突支部材；
及び、前記本体ユニットの前記固定具に対面する位置において、前記突支部材の先端を受けてずれないように支持する受止部；
を備えていることを特徴とする請求項２乃至４の何れか一記載の浴室暖房装置。
【請求項６】
前記保持手段は、
前記本体ユニットの前記固定具に対面する位置において、前記本体ユニットに回動自在に軸支された突支部材；
及び、前記固定具の前記本体ユニットに対面する位置において、前記突支部材の先端を受けてずれないように支持する受止部；
を備えていることを特徴とする請求項２乃至４の何れか一記載の浴室暖房装置。
【請求項７】
前記本体ユニットの下端が前記固定具に近接する方向に加力する加力手段を備えていることを特徴とする請求項２乃至６の何れか一記載の浴室暖房装置。
【請求項８】
前記突支部材を回動操作するレバーが前記本体ユニットの外周面よりも外に突出して設けられていることを特徴とする請求項２乃至７の何れか一記載の浴室暖房装置。
【発明の詳細な説明】
【技術分野】
【０００１】
本発明は、温水ミストを噴霧することにより浴室の暖房を行う浴室暖房装置に関し、特に、浴室の壁に備えつけて使用する浴室暖房装置に関する。
【背景技術】
【０００２】
温水ミストを噴霧することにより浴室の暖房を行う浴室暖房装置としては、特許文献１，２に記載のものが公知である。
【０００３】
図７は特許文献１に記載の浴室暖房装置の据え付け状態の斜視図、図８は特許文献１に記載の浴室暖房装置の要部断面図である。この浴室暖房装置１００は、浴室の壁に固定される固定部１０１と、水平に回動自在なように固定部１０１に接続された可動部１０２とから構成されている。浴室暖房装置１００には、固定部１０１の下部から、給湯ホース１０３を通して温水が供給される。供給された温水は、固定部１０１の内部の配管を通して、可動部１０２に送られる。そして、供給された温水は、可動部１０２に複数個設けられたミスト・ノズル１０４から噴霧される。
【０００４】
ミスト・ノズル１０４は、可動部１０２の内部に、水平に設けられた３本の水平管１０５に接続されている。水平管１０５は、水平軸を中心として回動可能に軸支されている。水平管１０５は、可動部１０２の表面パネル上に設けられたレバー１０６により回動操作することができる。これにより、使用者は、各ミスト・ノズル１０４を上下方向に回動させて、温水ミストの鉛直面内での噴霧方向を変えることができる。
【０００５】
また、固定部１０１の内部に鉛直向きに設けられた、給湯ホース１０３に連通する給湯管１０７は、可動部１０２の内部の配水管１０８と、回転継手からなる接続部材１０９により接続されている。これにより、可動部１０２は、鉛直軸を中心として水平方向に回動することができる。従って、使用者は、可動部１０２を水平方向に回動させて、温水ミストの水平面内での噴霧方向を変えることができる。
【０００６】
図９は特許文献２に記載の浴室暖房装置の斜視図である。この浴室暖房装置１２０は、装置本体１２１の下端付近の側部に、直角に２本の管状のノズル・ユニット１２２，１２２が設けられている。ノズル・ユニット１２２は、直管状に構成されている。また、側部に多数のミスト・ノズル１２３が設けられている。このノズル・ユニット１２２に、温水が供給されると、各ミスト・ノズル１２３から温水ミストが噴霧される。
【０００７】
各ノズル・ユニット１２２，１２２の基端部は、装置本体１２１の内部において、水平に設けられた回動軸１２４により回動自在に軸支されている。従って、各ノズル・ユニット１２２は、鉛直面内において上下に回動させることができる。使用者は、好みに応じて、ノズル・ユニット１２２を回動させて、温水ミストの噴霧方向を変更することができる。
【特許文献１】特開２００３−７９５２７号公報
【特許文献２】特開２００３−２６００００号公報
【発明の開示】
【発明が解決しようとする課題】
【０００８】
しかしながら、上記特許文献１の浴室暖房装置においては、温水ミストの噴霧方向を垂直面内で上下に変更させる場合、ミスト・ノズルの可動範囲内でしか温水ミストの噴霧方向を変更することができない。従って、均一なミストを得られず、同一方向に向けようとするとミスト・ノズルを１つずつ調節しなければならないという不便な点が問題である。
【０００９】
また、上記特許文献２の浴室暖房装置においては、ノズル・ユニット１２２を上下方向に回動させることはできるが、左右方向の調節ができない、つまり希望する方向にミストを集中させることができないという問題がある。
【００１０】
そこで、本発明の目的は、温水ミストの噴霧方向を上下方向に変更させる場合の可動範囲を大きくし、噴霧方向が均一なミストを左右上下方向に容易に調節でき、暖房効果を向上させることができるという優れた効果を有する浴室暖房装置を提供することにある。
【課題を解決するための手段】
【００１１】
本発明に係る浴室暖房装置の第１の構成は、浴室に温水を噴霧することにより浴室の暖房を行う浴室暖房装置であって、以下の構成を含むことを特徴とする：
温水を噴霧する噴霧ノズルを備えた本体ユニット；
前記本体ユニットを浴室壁面に固定する固定具；
及び、前記本体ユニットの上端部を前記固定具に回動自在に軸支する軸着部。
【００１２】
この構成により、本体ユニットを軸着部を中心に上向きに回動させれば、噴霧ノズルから噴霧される温水ミストの噴射方向の仰角が大きくなる。噴射方向の仰角が大きければ、温水ミストが空中に漂う時間を長くすることができる。これにより、温水ミストによる暖房効果が上がる。
【００１３】
また、本体ユニットの角度を変化させて、使用者が体に直接温水ミストを当てることができる。
【００１４】
更に、浴室暖房装置の未使用時には、本体ユニットを固定具に着接させておけば、壁からの出っ張りを少なくすることができるので浴室の清掃時等において本体ユニットが邪魔にならないようにすることができる。
【００１５】
本発明に係る浴室暖房装置の第２の構成は、前記第１の構成において、前記本体ユニットが前記固定具に対して所定の角度に保持することが可能な保持手段を備えたことを特徴とする。
【００１６】
このように、保持手段を備えることで、本体ユニットを固定具に対して所定の角度に保持させて使用することができ、利便性が向上する。
【００１７】
ここで、保持手段としては、突支部材、ラッチ（掛け金）、ラチェット等を使用することができる。
【００１８】
本発明に係る浴室暖房装置の第３の構成は、前記第１又は２の構成において、前記保持手段は、前記本体ユニットを前記固定具に保持する角度を、２以上の異なる角度のうちから選択することが可能であることを特徴とする。
【００１９】
この構成により、使用者は好みの角度で本体ユニットを傾斜させて固定することが可能となる。
【００２０】
本発明に係る浴室暖房装置の第４の構成は、前記第２又は３の構成において、前記保持手段は、前記本体ユニットの外部面を支えて保持する突支部材を備えていることを特徴とする。
【００２１】
このように、保持手段として構成すれば、簡単な機構によって本体ユニットを傾斜状態で保持することができる。また、使用者は、目で直接見ながら本体ユニットを傾斜させる操作を行うことができる。そのため、操作が簡単である。
【００２２】
本発明に係る浴室暖房装置の第５の構成は、前記第２乃至４の何れか一の構成において、前記保持手段は、
前記固定具の前記本体ユニットに対面する位置において、前記固定具に回動自在に軸支された突支部材；
及び、前記本体ユニットの前記固定具に対面する位置において、前記突支部材の先端を受けてずれないように支持する受止部；
を備えていることを特徴とする。
【００２３】
この構成によれば、簡単な構造により保持手段を構成することが可能であり、安価なコストで製造することができる。
【００２４】
ここで、受止部は、突支部材の先端を受けてずれないように支持するような部材であればどのようなものであってもよい。
【００２５】
例えば、受止部は、突支部材の先端と係合可能な形状の凹陥部とすることができる。受止部を凹陥部として構成すれば、極めて簡易な形状で構成でき、突支部材先端の脱着も容易であることから利便性に長ける。
【００２６】
また、例えば、突支部材の先端を強磁性体により構成し、受止部は、突支部材の先端と磁着する磁石とすることもできる。
【００２７】
本発明に係る浴室暖房装置の第６の構成は、前記第２乃至４の何れか一の構成において、前記保持手段は、
前記本体ユニットの前記固定具に対面する位置において、前記本体ユニットに回動自在に軸支された突支部材；
及び、前記固定具の前記本体ユニットに対面する位置において、前記突支部材の先端を受けてずれないように支持する受止部；
を備えていることを特徴とする。
【００２８】
この構成によれば、簡単な構造により保持手段を構成することが可能であり、安価なコストで製造することができる。
【００２９】
本発明に係る浴室暖房装置の第７の構成は、前記第２乃至６の何れか一の構成において、前記本体ユニットの下端が前記固定具に近接する方向に加力する加力手段を備えていることを特徴とする。
【００３０】
この構成によれば、本体ユニットは加力手段によって、固定具に近接する方向に加力される。従って、本体ユニットが突支部材によって傾斜状態で保持されている場合には、本体ユニットが突支部材に対して押さえつける方向に加力される。そのため、浴室暖房装置の運転中の振動によるビビリ音を防止することができる。
【００３１】
すなわち、加力手段を設けない場合には、本体ユニットは、突支部材の先端に当接し、重力により抑えられた状態となる。しかし、この構成では、本体ユニットは極めて弱い力で突支部材の先端に当接されるため、浴室暖房装置が温水を噴霧する際に、何らかの原因で振動すると、本体ユニットが振動して突支部材先端を叩き、ビビリ音が発生する。しかし、加力手段により本体ユニットを突支部材の先端方向に加力すれば、このようなビビリ音の発生は抑えることができる。
【００３２】
また、突支部材の先端を、突支部材の先端と係合可能な形状の凹陥部で受け止めて衝突支持するような構成とした場合には、加力手段により突支部材の先端が凹陥部に入り込む方向に加力される。従って、使用者が本体ユニットに誤ってぶつかったような場合でも、簡単には突支部材の先端が凹陥部から外れることがなく安全である。
【００３３】
ここで、加力手段としては、バネを使用するのが最も構造的に簡単であるが、バネに限らず、例えば、永久磁石を使用して磁力により加力するようにしてもよい。
【００３４】
本発明に係る浴室暖房装置の第８の構成は、前記第２乃至７の何れか一の構成において、前記突支部材を回動操作するレバーが前記本体ユニットの外周面よりも外に突出して設けられていることを特徴とする。
【００３５】
この構成によれば、突支部材を回動操作するレバーが、本体ユニットの外周面よりも外に突出しているため、使用者は本体ユニットの角度を目視しながら角度を調節することができる。従って、使用者は手探りで操作しなくてもよいため、使用者にとっての操作性が良好である。
【発明の効果】
【００３６】
以上のように、本発明によれば、軸着部により、浴室暖房装置の本体ユニットの上端部を固定具に回動自在に軸支する構成としたことにより、浴室暖房装置の使用時に噴射方向の仰角を大きくさせて使用し、温水ミストによる暖房効果を向上させることができる。また、使用者が好みに応じて本体ユニットの角度を変化させ、体に直接温水ミストを当てることができるなど、浴室暖房装置の利便性、操作性を向上させることができる。また、浴室暖房装置の未使用時には、本体ユニットを固定具に着接させ、浴室の清掃時等において本体ユニットが邪魔にならないようにすることができる。
【発明を実施するための最良の形態】
【００３７】
以下、本発明を実施するための最良の形態について、図面を参照しながら説明する。
【実施例１】
【００３８】
図１は本発明に係る浴室暖房装置１の側面図である。浴室暖房装置１は、本体ユニット２の上端部付近が、固定具３に軸着部４により回動自在に軸着されている。固定具３は浴室の壁面に固定される。また、固定具３の下端部には、本体ユニット２を固定具３に対して所定の角度に保持するための突支部材５が、回動軸６により軸着されている。
【００３９】
突支部材５は、回動軸６を中心として、直角に曲折されている。そして、曲折された下部が、突支部材５の回動を操作するためのレバー５ａとなっている。レバー５ａを下方に回動させる方向（矢印Ａの方向）に力を加えれば、突支部材５の先端部５ｂが、本体ユニット２の固定具３に対向する面を、固定具３から引き離す方向に押し上げる力が働く。
【００４０】
本体ユニット２の固定具３に対向する面には、突支部材５の先端部５ｂを受けてずれないように支持する受止部７ａ，７ｂが形成されている。この受止部７ａ，７ｂは、突支部材５の先端部５ｂと係合可能な凹陥状に形成された溝である。
【００４１】
本体ユニット２と固定具３とが軸着された軸着部４には、加力手段である捩りコイルバネ８が軸に環装されている。この捩りコイルバネ８は、本体ユニット２の下端が固定具３に近接する方向に付勢している。
【００４２】
図２は本発明に係る浴室暖房装置１を浴室の壁面に設置した状態の一例を示す斜視図である。図２において、浴室暖房装置１の本体ユニット２は、給水給湯栓９の下部の浴室壁面に設置されている。本体ユニット２の下部には、本体ユニット２内の配管と外部配管とを接続するための給湯継手１０が設けられている。給湯継手１０には、温水を供給するための給湯ホース１１が接続されている。この給湯ホース１１は可撓性を有する。給湯ホース１１は、給水給湯栓９に温水を供給するための給湯管９ａに接続される（図３参照）。そして、給湯管９ａに供給される温水は、給湯ホース１１から給湯継手１０を経て本体ユニット２内部の配管に供給される。
【００４３】
本体ユニット２の表面パネルには、左右と下部に合計３つのノズル・ユニット１２が設けられている。このノズル・ユニット１２には、温水を噴霧するためのミスト・ノズル１３が３個ずつ設けられている。左右のノズル・ユニット１２は縦軸を中心に左右に、下部のノズル・ユニット１２は水平軸を中心に上下に回動可能である。給湯ホース１１から本体ユニット２の内部配管に供給される温水は、各ノズル・ユニット１２に分配される。そして、各ノズル・ユニット１２の各ミスト・ノズル１３から、温水ミストとして浴室内に噴霧される。
【００４４】
図３は本発明に係る浴室暖房装置１を浴室の壁面に設置する際の固定方法を表す分解図である。浴室暖房装置１の本体ユニット２と固定具３とは、上端部において回動自在に軸着されている。固定具３の下端付近には、突支部材５が回動軸６により軸着されている。突支部材５は、図に示すように、回動軸６の部分で直角に曲折された矩形状の枠体である。回動軸６から前方に突き出た部分がレバー５ａである。
【００４５】
固定具３には、適所にネジ穴１４が複数設けられており、取付ネジ１５によって浴室の壁に固定される。
【００４６】
図４は本実施例に係る浴室暖房装置１の固定具３の平面図である。固定具３は、略矩形板状の金属板で構成されている。固定具３の適所には、取付ネジ１５を通すためのネジ穴１４が貫設されている。
【００４７】
固定具３の上端部には、軸着部４が設けられている。軸着部４は、固定具３の上端中央部に水平に固定された回動軸である。この軸着部４に、回動板１６が軸支されている。回動板１６には、本体ユニット２が固定される。これにより、本体ユニット２は固定具３に軸着される。
【００４８】
軸着部４の中央には、捩りコイルバネ８が環装されている。捩りコイルバネ８の２つの腕の一方は固定具３に固定され、他方は回動板１６に圧接している。捩りコイルバネ８は、回動板１６の下端を固定具３に引き寄せる方向に付勢する。
【００４９】
固定具３の下端中央部付近には、突支部材５が回動軸６により軸着されている。突支部材５については、図３においてすでに説明したため、ここでは説明は省略する。
【００５０】
以上のように構成された本実施例に係る浴室暖房装置１について、以下その動作を説明する。使用者は、温水ミストの噴霧方向を上方に向ける場合、レバー５ａを図１の方向に引き下げる。これにより、突支部材５は回動軸６を中心として回動する。そして、突支部材５の先端部５ｂが、本体ユニット２の固定具３に対向する面を押しながら摺動する。これにより、本体ユニット２は、捩りコイルバネ８の加力に対抗して、固定具３から離れる方向に回動する。そして、本体ユニット２が、図５に示す位置まで回動したとき、突支部材５の先端部５ｂは、凹陥状の受止部７ａに入り込む。このとき、本体ユニット２は、捩りコイルバネ８により、固定具３に近接する方向に加力されている。そのため、突支部材５の先端部５ｂが受止部７ａに落ち込んだ後は、捩りコイルバネ８は突支部材５の先端部５ｂが受止部７ａに入り込む方向に付勢する。そのため、使用者がレバー５ａを離した後でも、突支部材５の先端部５ｂが受止部７ａから容易に抜け落ちることが防止される。従って、使用者が誤って本体ユニット２に触れても、本体ユニット２が固定具３と近接した元の位置に戻ることを防止できる。
【００５１】
また、常に突支部材５の先端部５ｂに本体ユニット２を押しつける力が働いているため、浴室暖房装置１の使用時に本体ユニット２が突支部材５の先端部５ｂを叩くことにより発生するビビリ音が発生するのを防止できる。
【００５２】
また、使用者がレバー５ａを図５の矢印Ａの方向に回動させて、更に本体ユニット２を固定具３から離隔する方向に回動させると、今度は、突支部材５の先端部５ｂは、凹陥状の受止部７ｂに落ち込む。そして、使用者がレバー５ａを離した後も、図６に示した位置に保持される。このようにして、２段階で、本体ユニット２の仰角を変更し、保持することが可能となる。
【００５３】
以上のように、本体ユニット２の仰角を変更させて保持することで、ミスト・ノズル１３からの温水ミストの噴霧角を上向きにすることができる。噴霧角を上向きにすることで、温水ミストが空中に漂う時間を伸ばし、暖房効果をより高くすることができる。
【００５４】
尚、本実施例では、突支部材５を固定具３側に軸支して、本体ユニット２側に受止部７ａ，７ｂを形成する構成としたが、突支部材５を本体ユニット２側に軸支する構成としてもよい。この場合、受止部７ａ，７ｂは固定具３側に形成されることとなる。また、本実施例では受止部７ａ，７ｂが２個の例を示したが、受止部の数は２個以上にしてもよい。
【図面の簡単な説明】
【００５５】
【図１】本発明に係る浴室暖房装置の側面図である。
【図２】本発明に係る浴室暖房装置を浴室の壁面に設置した状態の一例を示す斜視図である。
【図３】本発明に係る浴室暖房装置を浴室の壁面に設置する際の固定方法を表す分解図である。
【図４】本実施例に係る浴室暖房装置の固定具の平面図である。
【図５】先端部５ｂが受止部７ａに入り込んだ状態の図である。
【図６】先端部５ｂが受止部７ｂに入り込んだ状態の図である。
【図７】特許文献１に記載の浴室暖房装置の据え付け状態の斜視図である。
【図８】特許文献１に記載の浴室暖房装置の要部断面図である。
【図９】特許文献２に記載の浴室暖房装置の斜視図である。
【符号の説明】
【００５６】
１  浴室暖房装置
２  本体ユニット
３  固定具
４  軸着部
５  突支部材
５ａ  レバー
５ｂ  先端部
６  回動軸
７ａ，７ｂ  受止部
８  捩りコイルバネ
９  給水給湯栓
９ａ  給湯管
１０  給湯継手
１１  給湯ホース
１２  ノズル・ユニット
１３  ミスト・ノズル
１４  ネジ穴
１５  取付ネジ
１６  回動版
【図１】
2005291631.tif 000003
【図２】
2005291631.tif 000004
【図３】
2005291631.tif 000005
【図４】
2005291631.tif 000006
【図５】
2005291631.tif 000007
【図６】
2005291631.tif 000008
【図７】
2005291631.tif 000009
【図８】
2005291631.tif 000010
【図９】
2005291631.tif 000011